(57)【要約】【課題】  装置が一体化され、雨水の吹込み対策、営巣対策を満足し、既設スペースへの流用が可能で、着脱作業が短時間になるスイッチギヤ用換気装置を提供する。【解決手段】  スイッチギヤ１の庇１ａ下に配設されるスイッチギヤ用換気装置２であって、庇１ａに沿って延びる箱型で庇１ａ下に着脱自在に取り付けられる収容箱１０と、収容箱１０内の長手方向に複数配設されてスイッチギヤ１内の空気を喚起する換気扇２０と、収容箱１０の底板として配設されて小動物の侵入が不可能な大きさの通気孔１１ａが形成された通気板１１と、収容箱１０内で換気扇２０と通気板１１との間に配設されて雨水が換気扇側に吹き込むのを防止する吹き込み防止板１２と、を備える。【選択図】  図１
2013198205.tif 000002
【特許請求の範囲】
【請求項１】
スイッチギヤの庇下に配設されるスイッチギヤ用換気装置であって、
前記庇に沿って延びる箱型で、前記庇下に着脱自在に取り付けられる収容箱と、
前記収容箱内の長手方向に複数配設され、前記スイッチギヤ内の空気を喚起する換気扇と、
前記収容箱の底板として配設され、小動物の侵入が不可能な大きさの通気孔が形成された通気板と、
前記収容箱内で前記換気扇と通気板との間に配設され、雨水が前記換気扇側に吹き込むのを防止する吹き込み防止板と、
を備えることを特徴とするスイッチギヤ用換気装置。
【請求項２】
前記収容箱の長手方向の両側部に配設され、前記庇と収容箱の間を塞ぐ閉塞板を備える、ことを特徴とする請求項１に記載のスイッチギヤ用換気装置。
【発明の詳細な説明】
【技術分野】
【０００１】
この発明は、スイッチギヤ内の高温の気体を換気扇により強制的に換気し、スイッチギヤ内の温度上昇を防止するスイッチギヤ用換気装置に関する。
【背景技術】
【０００２】
一般に、スイッチギヤは、高圧や２万ボルト級の特別高圧配電線を開閉したり事故から保護するために、遮断器などを保護継電器などと一緒に箱型の金属製ボックス内に収めたものでる。このようなスイッチギヤにおいては、主要開閉機器間が仕切板によって区画されていて、この区画された各前面に開閉扉が複数設けられており、作業者が点検、修理などの保守作業を行えるようになっている。この区画された内部は、夏場には内部温度が４０℃まで上昇するとともに、雨季には湿度が高くなるため、スイッチギヤの箱内の温度と湿度とを適正な状態にたもつ必要があった。
【０００３】
そこで、スイッチギヤには、箱の開閉扉ごとの上部庇下である前面と背面とに、既存スペースである換気孔が複数開口され、この換気孔にスイッチギヤ用換気装置が取り付けられている（図４参照）。このような従来のスイッチギヤ用換気装置としては、箱の前面と背面との換気孔に換気扇を２個づつ取り付ける構造であり、スイッチギヤの箱内の温度と湿度とを適正な状態にたもっていた。また、換気扇は、スイッチギヤの外側に取り付けられているため、営巣防止や風雨吹込み防止の対策として、カバーなどの各種別部品が取り付けられていた。
【０００４】
この換気扇の対応年数は１０〜１５年程度であるが、スイッチギヤは２０〜３０年使用される。すなわち、従来のスイッチギヤでは、換気扇の対応年数１０〜１５年に対して、スイッチギヤは２０〜３０年使用するため、換気扇の取替えが発生する。
【０００５】
この場合、スイッチギヤの換気扇には、営巣防止や風雨吹込み防止の対策をしており、分解作業に時間と手間を要する。特に、スイッチギヤ内の機器側（遮断器（ＣＢ）、計器用変圧器（ＧＰＴ）、充電器、開閉器などの機器収納側）では、換気扇の取替時に充電部に接近する恐れ（危険）があり、場合によってはスイッチギヤの運転停止(停電)が必要になる。さらに、換気扇の運転状態の確認は、点検時に箱の外から換気扇が見えないため、起動・停止の確認が難しく、音と振動により判断しているため信頼度が低い。以上がスイッチギヤの換気扇の従来の状況であった。
【０００６】
ところで、従来のスイッチギヤ用換気装置として、例えば、換気扇がスイッチギヤの箱体の背板に装着され、この換気扇をさらにカバーで覆って、当該カバーをスイッチギヤに着脱可能にした構造が知られている（例えば、特許文献１参照。）。すなわち、換気扇の保守点検または取換作業等に際しても、カバーだけを外せばよく、その作業がきわめて容易で、かつ、箱体の背部のスペースも特別なスペースを要しなかった。
【先行技術文献】
【特許文献】
【０００７】
【特許文献１】実開平０５−５０９１０号公報
【発明の概要】
【発明が解決しようとする課題】
【０００８】
しかしながら、従来のスイッチギヤ用換気装置（特許文献１）では、カバーを外すだけで換気扇の保守点検および取替作業等を容易に行えるが、この装置自体が屋外使用に耐えられるものではないため、スイッチギヤには使用できないという不具合があった。すなわち、電気室内（特許文献１の第３図の符号２０参照）に設置される屋内式換気装置のため、屋外での使用に対応したものではなかった。
【０００９】
そこで、この発明は、装置が一体化され、雨水の吹込み対策や営巣対策を満足し、既設スペースへの流用が可能であるとともに、着脱作業が短時間になるスイッチギヤ用換気装置を提供することを目的としている。
【課題を解決するための手段】
【００１０】
前記の課題を解決するために、請求項１の発明は、スイッチギヤの庇下に配設されるスイッチギヤ用換気装置であって、前記庇に沿って延びる箱型で、前記庇下に着脱自在に取り付けられる収容箱と、前記収容箱内の長手方向に複数配設され、前記スイッチギヤ内の空気を喚起する換気扇と、前記収容箱の底板として配設され、小動物の侵入が不可能な大きさの通気孔が形成された通気板と、前記収容箱内で前記換気扇と通気板との間に配設され、雨水が前記換気扇側に吹き込むのを防止する吹き込み防止板と、を備える、ことを特徴とする。
【００１１】
この発明によれば、収容箱内に換気扇を収容して雨水の吹込み対策および営巣対策を満足させつつ一体化され、スイッチギヤの庇下の既設スペースに収容箱ごと着脱可能にすることで、換気扇の着脱作業が短時間になる。また、スイッチギヤの庇下から収容箱ごと取り外せることで、換気扇の保守点検および取換作業等に際して、スイッチギヤ外側の庇下で作業でき極めて安全で、かつ、容易に点検することができる。
【００１２】
請求項２の発明は、請求項１に記載のスイッチギヤ用換気装置において、収容箱の長手方向の両側部に配設され、庇と収容箱の間を塞ぐ閉塞板を備える、ことを特徴とする。
【００１３】
この発明によれば、収容箱の両側部に配設された閉塞板により、庇と収容箱との間が塞がれて、小動物の侵入を防止し、同時に営巣対策となる。
【発明の効果】
【００１４】
請求項１に記載の発明によれば、収容箱内の雨水の吹込み対策および営巣対策を満足させつつ換気扇を収容して一体化されるため、この一体化された収容箱ごとスイッチギヤの庇下に着脱自在になり、着脱作業が短時間になる。その結果、換気扇の点検時の作業効率が向上し、換気扇の点検時間を短縮して迅速に換気状態に戻すことができる。また、スイッチギヤの外側から庇下に取り付けるため、スイッチギヤ内の充電部に近づかないで作業ができる。その結果、換気扇の取替時に危険な充電部などに接近することなく安全に作業でき、スイッチギヤを運転停止(停電)にする必要がなくなる。さらに、収容箱のサイズを自由に設定できるため、既設スペースを流用できる。よって、スイッチギヤに新たに設置スペースの確保や不要な部品を備える必要がないため、装置全体の設置コストを低減することができる。
【００１５】
請求項２に記載の発明によれば、収容箱の長手方向の上部両側に閉塞板を備えて庇と収容箱との間を塞ぐため、この間に小動物が侵入することを防止できるとともに、同時に営巣対策が可能となる。
【図面の簡単な説明】
【００１６】
【図１】この発明に係るスイッチギヤ用換気装置を示す外観斜視図である。
【図２】図1のＡ−Ａ線断面を示す断面図である。
【図３】図1のＢ−Ｂ線断面を示す断面図である。
【図４】図１のスイッチギヤ用換気装置を取り付けた状態を示す外観斜視図である。
【図５】図４のＣ−Ｃ線断面を示す断面図である。
【発明を実施するための形態】
【００１７】
以下、この発明を図示の実施の形態に基づいて説明する。
【００１８】
図１は、この発明に係るスイッチギヤ用換気装置２を示す外観斜視図である。また、図２は、図1のＡ−Ａ線断面を示す断面図である。また、図３は、図1のＢ−Ｂ線断面を示す断面図である。図１に示すように、このガイドベーンブッシング抜取装置２は、主として、スイッチギヤ１の庇１ａ下（図４参照）に着脱される収容箱１０と、この収容箱１０に収容される換気扇２０、通気板１１、吹き込み防止板１２とを備えることにより構成されている。
【００１９】
収容箱１０は、スイッチギヤ１の庇１ａ下に沿った長手方向に延びる箱型に形成され、この庇１ａ下に対して着脱自在に取り付けられる（図４参照）。すなわち、収容箱１０は、従来技術のように、スイッチギヤ１の開閉扉１ｃごとの前面と背面との換気孔１ｂに各々取り付けられている（図４参照）。そして、この収容箱１０は、換気孔１ｂに合わせて取り付けられ、スイッチギヤ１の両側に平行して延びるように複数配列させて取り付けられている。さらに言及すると、収容箱１０は、開閉扉１ｃの幅に合わせた長さに形成され、開閉扉１ｃの１枚分に対し、この開閉扉１ｃの前面とその裏面とで、２台それぞれ取り付けられている。この収容箱１０は、スイッチギヤ１の庇１ａ下に取り付ける際、図示されていないが雨水などの浸入を防ぐためにスイッチギヤ１との間にゴムなどのパッキンを介在して取り付けられている。
【００２０】
また、収容箱１０は、スイッチギヤ１に取り付けられる面の両側にリブ状に突出した一対のリブ１０ａを備えている。このリブ１０ａには、収容箱１０をスイッチギヤ１の換気孔１ｂに設置させた際、箱型の両端をボルト（図示せず）などでネジ止め可能なネジ孔１０ａ−１が開口されている。また、収容箱１０は、スイッチギヤ１の庇１ａ下に設置した際に、長手方向の両側部上面に突出するように配設され、庇１ａとの間の隙間を塞ぐ一対の閉塞板１０ｂを備えている。
【００２１】
このような収容箱１０の内部には、前述した換気扇２０、通気板１１、吹き込み防止板１２がそれぞれ収容されている。換気扇２０は、図１に示すように収容箱１０内に四隅をネジ部２０ａによって固定され、収容箱１０内に一対に配置されている。この換気扇２０は、図２に示すように、収容箱１０内から外部に延びる電源線２１を備えており、この電源線２１を、スイッチギヤ１の換気孔１ｂ近傍に配置されるコネクタ２２（図５参照）に接続されて電源が供給されている。このコネクタ２２は、延長線２２ａ（図５参照）により図示されていないスイッチギヤ１内の電源に接続されている。すなわち、換気扇２０は、収容箱１０の着脱時、電源線２１を換気孔１ｂ近傍のコネクタ２２に抜き差しすることで電源を供給できるため、危険な充電部などに接近することなく安全に作業できる。
【００２２】
また、換気扇２０は、収容箱１０内に２つ配設されており、例えば、１つの換気扇２０が故障した場合でも、残りの換気扇２０で対応できるようになっている。この換気扇２０は、後述する収容箱１０の開口された底面から作業者が回転状態を視認可能に形成されている。よって、換気扇２０には、図３に示すように、回転する複数枚の羽根２３のいずれか1枚に、回転状態を視認できるマーク２４が設けられている。
【００２３】
そして、収容箱１０は、図３に示した換気扇２０の設置面と直交する底面に、前述した開口する開口面１０ｃが形成され、この開口面１０ｃに底板として配設される通気板１１が取り付けられている。この通気板１１は、鳥などの小動物の侵入が不可能な大きさの通気孔１１ａを形成しており、営巣対策の役割をするとともに、内部の状態を通気孔１１ａから視認できるようになっている。
【００２４】
さらに、収容箱１０には、図２に示した箱内で換気扇２０と通気板１１との間に配設される吹き込み防止板１２を備えている。この吹き込み防止板１２は、換気扇２０と通気板１１との間を所定の角度で傾斜させて通気状態を維持して区画するように取り付けられ、底部の開口面１０ｃから吹き込まれる外気によって換気扇２０が止まらないように吹き込みを防止している。詳しくは、吹き込み防止板１２は、収容箱１０の長手方向に延びる薄板状に形成され、図１に示した収容箱１０内の換気扇２０下方の底面に一端がネジ止めなどにより固定され、この底面から上方に傾斜しながら通気板１１側に延びている。そして、吹き込み防止板１２は、図２に示した換気扇２０の下方から延びた遊端と、収容箱１０の内壁と、の間に一定の隙間ができるように配置し、空気が換気扇２０から通気板１１まで通気可能に配置されている。これにより吹き込み防止板１２は、開口面１０ｃからの外気の吹き込みを防止するとともに、換気扇２０から吸気された空気を図２の矢印で示した方向に誘導させて開口面１０ｃから排出することができる。
【００２５】
また、吹き込み防止板１２は、アクリルなどの透明な材質からなり、前述した作業者が開口面１０ｃから換気扇２０の羽根２３に貼り付けたマーク２３（図３参照）を視認できるようになっている。すなわち、吹き込み防止板１２は、換気扇２０からの空気の排気と外気の吹き込みとを同時に可能とするとともに、この防止板を透明に形成することで、換気扇２０のマーク２３による回転状態の確認を可能としている。この際、吹き込み防止板１２は、収容箱１０に傾斜させて配置するため、前述した作業者が視認する際に傾斜によって光の反射などにより見にくくならない角度になるように配置されている。
【００２６】
次に、図４および５を参照して、このようなスイッチギヤ用換気装置２をスイッチギヤ１の庇１ａ下に取り付ける動作について詳しく説明する。図４は、図１のスイッチギヤ用換気装置２を取り付けた状態を示す外観斜視図である。また、図５は、図４のＣ−Ｃ線断面を示す断面図である。まず、図１に示したスイッチギヤ用換気装置２は、図４に示すように、スイッチギヤ１の開閉扉１ｃ側とその裏側とで何台配置されるかを確認し、所望の台数をスイッチギヤ１の近傍まで搬送する。
【００２７】
そして、スイッチギヤ１には、作業員が脚立などを用いて換気孔１ｂに合わせて、それぞれスイッチギヤ用換気装置２を位置合わせして取付けられる。この際、スイッチギヤ１と収容箱１０との間に、図示されていないパッキンを介在させて取り付けられることで、雨水などの進入を防止することが好ましい。そして、スイッチギヤ用換気装置２は、図１の収容箱１０のリブ１０ａに開口されたネジ孔１０ａ−１にボルトを挿入し、スイッチギヤ１側の外壁に締結させることで固定される。
【００２８】
また、スイッチギヤ１内では、図５に示すように、収容箱１０内に配設されたコネクタ２２に、電源線２１を接続することで、換気扇２０に電源が供給される。すなわち、換気扇２０は、庇１ａ下で収容箱１０を着脱する際、スイッチギヤ１内の充電部に接近することなく、電源線２1をコネクタ２２に接続または切離しするだけで、着脱作業を安全に実行できる。
【００２９】
このように、庇１ａ下に収容箱１０を取り付けて電源線２１をコネクタ２２に接続することで、換気扇２０が駆動して、図５の矢印のようにスイッチギヤ１内で温度が上昇した空気を外部に排出することができる。この際、収容箱１０内に開口面１０ｃから外気が吹き込んできた場合、図５に示した収容箱１０内の吹き込み防止板１２に外気が当たり、傾斜に沿って吹き込み防止板１２遊端の隙間から換気扇２０側に流入しようとするが、図５に示した矢印方向の排出される空気と当接してお互いに相殺される。したがって、換気扇２０に開口面１０ｃから吹き込まれた外気が流入して、換気扇２０の羽根２３を止めてしまうことを防止することができる。また、吹き込み防止板１２はアクリルなどの透明な材質から形成されているため、作業者が庇１ａの下方から換気扇２０の回転状態（マーク２４）を確認でき、この回転状態が確認されることで取り付けが完了する。
【００３０】
その後、上記取り付け作業を繰り返して、スイッチギヤ１の庇１ａ下の全てにスイッチギヤ用換気装置２を取り付けることで、全ての取り付けが完了する。
【００３１】
以上のように、このスイッチギヤ用換気装置２によれば、収容箱１０内の雨水の吹込み対策および営巣対策を満足させつつ換気扇を収容して一体化されるため、この一体化された収容箱１０ごとスイッチギヤ１の庇１ａ下に着脱自在になり、着脱作業が短時間になる。その結果、換気扇２０の点検時の作業効率が向上し、換気扇２０の点検時間を短縮して迅速に換気状態に戻すことができる。また、スイッチギヤ１の外側から庇１ａ下に取り付けるため、スイッチギヤ１内の充電部に近づかないで作業ができる。その結果、換気扇２０の取替時に危険な充電部などに接近することなく安全に作業でき、スイッチギヤ１を運転停止(停電)にする必要もなくなる。さらに、収容箱１０のサイズを自由に設定できるため、既設スペースを流用できる。よって、スイッチギヤ１に新たに設置スペースの確保や不要な部品を備える必要がないため、装置全体の設置コストを低減することができる。
【００３２】
また、スイッチギヤ用換気装置２によれば、収容箱１０の長手方向の上部両側に閉塞板１０ｂを備えて庇１ａと収容箱１０との間を塞ぐため、この間に小動物が侵入することを防止でき、同時に営巣対策が可能となる。
【００３３】
さらに、スイッチギヤ用換気装置２によれば、吹き込み防止板１２が透明な材質から形成されて作業者が庇１ａの下方から換気扇２０の羽根２３のマーク２４により回転状態を確認できるため、検査効率が向上し確実に換気扇２０の回転状態を把握することができる。その結果、換気扇２０の故障によりスイッチギヤ１の内部温度が上昇し、内部機器に影響を与えることを確実に防止することができる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、収納箱１０内に換気扇２０を２個一対に配置した構造について説明しているが、これに限定されず、２個以上配置して換気扇２０が複数故障しても対応可能に構成してもよい。
【符号の説明】
【００３５】
１        スイッチギヤ
１ａ      庇
１ｂ      換気孔
１ｃ      開閉扉
２        スイッチギヤ用換気装置
１０      収容箱
１０ａ    リブ
１０ａ−１  ネジ孔
１０ｂ    閉塞板
１０ｃ    開口面
１１      通気板
１１ａ    通気孔
１２      吹き込み防止板
２０      換気扇
２０ａ    ネジ部
２１      電源線
２２      コネクタ
２２ａ    延長線
２３      羽根
２４      マーク
【図１】
2013198205.tif 000003
【図２】
2013198205.tif 000004
【図３】
2013198205.tif 000005
【図４】
2013198205.tif 000006
【図５】
2013198205.tif 000007
【手続補正書】
【提出日】平成24年3月19日(2012.3.19)
【手続補正１】
【補正対象書類名】図面
【補正対象項目名】図４
【補正方法】変更
【補正の内容】
【図４】
2013198205.tif 000008
【手続補正２】
【補正対象書類名】図面
【補正対象項目名】図５
【補正方法】変更
【補正の内容】
【図５】
2013198205.tif 000009